【手続補正書】
【提出日】平成20年7月30日(2008.7.30)
【手続補正１】
【補正対象書類名】特許請求の範囲
【補正対象項目名】全文
【補正方法】変更
【補正の内容】
【特許請求の範囲】
【請求項１】
頭部および頸部を有する大腿骨を留めると共に、大腿骨との関連でガイドワイヤーの配置を案内するためのガイドクランプであって：
一対の締付けアームであって、該締付けアームの夫々は複数のピニオン歯と開位置と閉位置との間で移動自在な締付け面を有しており、これらの締付け面は開位置において大腿骨をその間に挿入するのに十分な間隔で離間するように互いにほぼ対向して設けられ、閉位置において前記大腿骨をその間にきつく保持するのに十分に互いに接近するようにしたものと；
これら締付けアームを相互に関連して回動自在に支持する本体であって、先端部を有するガイドシャフトを受理して通過させる第１の案内開口部と、ガイドワイヤーを受理し、該先端部が大腿骨と交叉したときに、その内部を通過して大腿骨に移動する該ガイドワイヤーと直接接触するサイズを有する第２の案内開口部とを有するものと；
前記本体に対して並進部材を付勢するために該本体に配されたバネであって、該並進部材は、前記第１の案内開口部を形成するとともに、前記締付けアーム双方のピニオン歯と係合する複数のラック歯を有しており、この並進部材の動きによって、前記締付けアームの回動と前記締付け面の前記大腿骨周囲の閉位置への関連した動きがもたらされ、前記締付け面により前記本体を前記大腿骨との関連で固定させ、かつ、前記ガイドワイヤーを前記ガイドシャフトを通って延出させたときにこのガイドワイヤーが前記大腿骨との関連で固定させるようにしたものと;
を具備してなるガイドクランプ。
【請求項２】
前記バネが、前記締付けアームの双方を付勢させ、前記開閉位置間での前記締付け面の動きを調和させるようになっている請求項１記載のガイドクランプ。
【請求項３】
前記バネが、前記並進部材に沿って延出し、該並進部材を付勢して前記締付けアームの締付け面を前記閉位置に移動させるコイルバネである、請求項２記載のガイドクランプ。
【請求項４】
前記バネが、前記本体に当接する第１の端部と、前記並進部材に当接する第２の端部とを有するコイルバネである、請求項１記載のガイドクランプ。
【請求項５】
前記コイルバネが、前記並進部材の周りに延出している請求項４記載のガイドクランプ。
【請求項６】
前記締付けアームの１つの締付け面が、位置調整自在に構成されている請求項１記載のガイドクランプ。
【請求項７】
前記ガイドシャフトの前記先端部から延出し、大腿骨が締付け面間に固定されたときに、大腿骨の頭部と当接するようになっている係合部材を更に有している、請求項１記載のガイドクランプ。
【請求項８】
前記係合部材が、前記本体内に形成された前記第１の案内開口部と整合する案内開口部を有し、ガイドワイヤーがこれら案内開口部の双方を通って大腿骨の頭部に通過するようになっている請求項７記載のガイドクランプ。
【請求項９】
前記係合部材が前記ガイドシャフトにより移動自在に支持され、それにより該係合部材が大腿骨の頭部との当接から後退ないし該頭部との当接のため延出するようになっている請求項８記載のガイドクランプ。
【請求項１０】
前記ガイドワイヤーが、前記本体の第１の案内開口部の軸に沿って摺動自在に前記ガイドシャフト内で支持され、それにより前記係合部材が大腿骨の頭部との当接から後退ないし該頭部との当接のため延出するようになっている請求項９記載のガイドクランプ。
【請求項１１】
前記係合部材がテクスチュア付き大腿骨近傍端部を有する請求項１０記載のガイドクランプ。
【請求項１２】
前記テクスチュア付き大腿骨近傍端部がのこ歯状部を含む請求項１１記載のガイドクランプ。
【請求項１３】
大腿骨を留めると共に、大腿骨との関連でガイドワイヤーの配置を案内するためのガイドクランプであって：
一対の締付けアームであって、該締付けアームの夫々は複数のピニオン歯と開位置と閉位置との間で移動自在な締付け面を有しており、これらの締付け面は開位置において大腿骨をその間に挿入するのに十分な間隔で離間するように互いにほぼ対向して設けられ、閉位置において前記大腿骨をその間にきつく保持するのに十分に互いに接近するようにしたものと；
これら締付けアームを相互に関連して回動自在に支持する本体であって、先端部を有するガイドシャフトを受理して通過させる第１の案内開口部と、ガイドワイヤーを受理し、該先端部が大腿骨と交叉したときに、その内部を通過して大腿骨に移動する該ガイドワイヤーと直接接触するサイズを有する第２の案内開口部とを有するものと；
付勢された並進部材であって、該並進部材は、前記第１の案内開口部を形成するとともに、前記締付けアーム双方のピニオン歯と係合する複数のラック歯を有しており、この並進部材の動きによって、前記締付けアームの回動と前記締付け面の前記大腿骨周囲の閉位置への関連した動きがもたらされ、前記締付け面により前記本体を前記大腿骨との関連で固定させ、かつ、前記ガイドワイヤーを前記ガイドシャフトを通って延出させたときにこのガイドワイヤーが前記大腿骨との関連で固定させるようにしたものと;
係合部材であって、前記ガイドシャフトの前記先端部により支持され、かつ、前記締付けアームが閉位置にあって前記締付け面が前記大腿骨を保持したときに、ガイドワイヤーと大腿骨の係合を案内するために前記大腿骨の頭部と当接するように延出したものと；
を具備してなるガイドクランプ。
【請求項１４】
前記ガイドシャフトが前記並進部材により移動自在に支持され、それにより前記係合部材が大腿骨の頭部との当接から後退ないし該頭部との当接のため延出するようになっている請求項１３記載のガイドクランプ。
【請求項１５】
前記ガイドシャフトが、前記本体の案内開口部の軸に沿って摺動自在に該本体により支持され、それにより前記係合部材が大腿骨の頭部との当接から後退ないし該頭部との当接のため延出するようになっている請求項１３記載のガイドクランプ。
【請求項１６】
前記係合部材がテクスチュア付き大腿骨近傍端部を有する請求項１５記載のガイドクランプ。
【請求項１７】
前記テクスチュア付き大腿骨近傍端部がのこ歯状部を含む請求項１６記載のガイドクランプ。
【請求項１８】
一対の締付けアームを更に具備してなり、該締付けアームの夫々が少なくとも１つの締付け面を有する請求項１５記載のガイドクランプ。
【請求項１９】
前記締付け面が互いに閉位置に接近するとき、該締付け面が大腿骨頸部の周りに延出するようになっている請求項１８記載のガイドクランプ。
【請求項２０】
前記締付け面はそれぞれ、前記案内開口部に対して傾斜した角度を形成して傾斜しており、それにより、前記案内開口部を大腿骨頸部の中立軸に対して傾斜した角度で配置し、該傾斜した角度が大腿骨頸部の中立軸よりもより垂直である、請求項１に記載のガイドクランプ。
【請求項２１】
締付け面の前記傾斜した角度が約５度である、請求項２０に記載のガイドクランプ。
【手続補正２】
【補正対象書類名】図面
【補正対象項目名】全図
【補正方法】変更
【補正の内容】
【図１】
2007512097.tif 000001
【図１Ａ】
2007512097.tif 000002
【図２】
2007512097.tif 000003
【図３】
2007512097.tif 000004
【図４】
2007512097.tif 000005
【図５】
2007512097.tif 000006
【図６】
2007512097.tif 000007
【図７】
2007512097.tif 000008
【図８】
2007512097.tif 000009
【図９】
2007512097.tif 000010
【図１０】
2007512097.tif 000011
【図１１】
2007512097.tif 000012
【図１２】
2007512097.tif 000013
【図１３】
2007512097.tif 000014
【図１４】
2007512097.tif 000015
【図１５】
2007512097.tif 000016
【図１６】
2007512097.tif 000017
【図１７】
2007512097.tif 000018
【図１８】
2007512097.tif 000019
【図１９】
2007512097.tif 000020